(57)【特許請求の範囲】
【請求項１】
空気の吸入口（９ａ）および吹出口（８ａ）が設けられた空調空間（２）と、
前記吹出口（８ａ）から前記吸込口（９ａ）に至る空気通路（７）と、
この空気通路（７）中に設けられ空気の温度および湿度に応じて湿気を吸着または脱着する第１の吸脱着媒体（１１）と、
前記空気通路（７）中に前記第１の吸脱着媒体（１１）と前後関係に設けられ、第１または第２の熱媒体と熱交換を行う第２の吸脱着媒体（１２）と、
前記空気通路（７）中に設けられ、前記吹出口（８ａ）より風を吹き出す送風手段（５ｂ）と、
前記送風手段（５ｂ）による前記空気通路（７）中の空気の流れとは逆方向に、湿気を与えた空気を前記第１、第２の吸脱着媒体（１１、１２）を介して前記空調空間（２）外に流す供給手段（１、４ａ、５ａ）とを備えた空調装置の空調方法であって、
前記供給手段（１、４ａ、５ａ）により湿度を与えた空気を供給して、前記第１の吸脱着媒体（１１）の吸着と、前記第１の熱媒体との熱交換による前記第２の吸脱着媒体（１２）の脱着を行う第１の空調運転工程と、
この第１の空調運転工程の後に、前記送風手段（５ｂ）を作動させて、前記吸入口（９ａ）から取り入れた前記空調空間（２）の空気を前記第１、第２の吸脱着媒体（１１、１２）を介して前記吹出口（８ａ）に供給して、前記第２の熱媒体との熱交換による前記第２の吸脱着媒体（１２）の吸着と、前記第１の吸脱着媒体（１１）との脱着を行わせる第２の空調運転工程とを備えたことを特徴とする空調方法。
【請求項２】
隣接する第１の空調空間（１）と、第２の空調空間（２）とを空調制御する空調ユニット（３）を備え、
前記空調ユニット（３）は、２個の空気通路のうち前記第１の空調空間（１）から屋外に連通させた第１の空気通路（４）と、
この第１空気通路（４）には、上流側を前記第１の空調空間（１）と連通または閉塞させる通路切替手段（６ａ）を備える第１の開口部（４ａ）と、
下流側を屋外と連通または閉塞させる通路切替手段（６ｂ）を備える第２の開口部（４ｂ）とを形成させるとともに、
前記第１の開口部（４ａ）を上流側に連通させ、前記第２の開口部（４ｂ）を下流側に連通させた第２の空気通路（７）と、
この第２の空気通路（７）内には、前記第１の開口部（４ａ）と連通する側に前記第２の空調空間の吹出口（８ａ）と連通または閉塞させる通路切替手段（１０ａ）を備える第３の開口部（７ａ）と、
前記第２の開口部（４ｂ）と連通する側に前記第２の空調空間の吸込口（９ａ）と連通または閉塞させる通路切替手段（１０ｂ）を備える第４の開口部（７ｂ）とを形成させ、
前記第１の開口部（４ａ）と前記第２の開口部（４ｂ）との間に配設する空気の温度および湿度に応じて湿気を吸着または脱着を行う第１の吸脱着媒体（１１）と、
第１または第２の熱媒体と熱交換を行う第２の吸脱着媒体（１２）とを配設するとともに、
前記第１の空調空間（１）から前記第２の空気通路（７）を経由して屋外に連通させる第１の送風手段（５ａ）と、
前記第２の空調空間の吸込口（９ａ）から前記第２の空調空間の吹出口（８ａ）に連通させる第２の送風手段（５ｂ）とを備えた空調装置の空調方法であって、
前記第１の送風手段（５ａ）を作動させて、前記第１の空調空間（１）から前記第２の空気通路（７）を経由して屋外に連通する空気を供給して、前記第１の吸脱着媒体（１１）の吸着と、前記第１の熱媒体との熱交換による前記第２の吸脱着媒体（１２）の脱着とを行わせる第１の空調運転をさせた後、
前記第２の送風手段（５ｂ）を作動させて、前記第２の空調空間の吸込口（９ａ）から前記第２の空気通路（７）を経由して前記第２の空調空間の吹出口（８ａ）に連通する空気を供給して、前記第２の熱媒体との熱交換による前記第２の吸脱着媒体（１２）の吸着と、前記第１の吸脱着媒体（１１）の脱着を行わせる第２の空調運転をさせることを特徴とする空調方法。
【請求項３】
隣接する第１の空調空間（１）と、第２の空調空間（２）とを空調制御する空調ユニット（３）を備えた空調装置において、
前記空調ユニット（３）は、２個の空気通路のうち前記第１の空調空間（１）から屋外に連通させた第１の空気通路（４）と、
この第１空気通路（４）には、上流側を前記第１の空調空間（１）と連通または閉塞させる通路切替手段（６ａ）を備える第１の開口部（４ａ）と、
下流側を屋外と連通または閉塞させる通路切替手段（６ｂ）を備える第２の開口部（４ｂ）とを形成させるとともに、
前記第１の開口部（４ａ）を上流側に連通させ、前記第２の開口部（４ｂ）を下流側に連通させた第２の空気通路（７）と、
この第２の空気通路（７）内には、前記第１の開口部（４ａ）と連通する側に前記第２の空調空間の吹出口（８ａ）と連通または閉塞させる通路切替手段（１０ａ）を備える第３の開口部（７ａ）と、
前記第２の開口部（４ｂ）と連通する側に前記第２の空調空間の吸込口（９ａ）と連通または閉塞させる通路切替手段（１０ｂ）を備える第４の開口部（７ｂ）とを形成させ、
前記第１の開口部（４ａ）と前記第２の開口部（４ｂ）との間に配設する空気の温度および湿度に応じて湿気を吸着または脱着を行う第１の吸脱着媒体（１１）と、
第１または第２の熱媒体と熱交換を行う第２の吸脱着媒体（１２）とを配設するとともに、
前記第１の空調空間（１）から前記第２の空気通路（７）を経由して屋外に連通させる第１の送風手段（５ａ）と、
前記第２の空調空間の吸込口（９ａ）から前記第２の空気通路（７）を経由して前記第２の空調空間の吹出口（８ａ）に連通させる第２の送風手段（５ｂ）とを備え、
前記第１の送風手段（５ａ）を作動させて前記第１の吸脱着媒体（１１）の吸着と、前記第１の熱媒体との熱交換による前記第２の吸脱着媒体（１２）の脱着を行わせた後に、前記第２の送風手段（５ｂ）を作動させて、前記第２の熱媒体との熱交換による前記第２の吸脱着媒体（１２）の吸着と、前記第１の吸脱着媒体（１１）の脱着を行わせる構成としたことを特徴とする空調装置。
【請求項４】
前記第１の吸脱着媒体（１１）は、第２の熱媒体と熱交換を行う吸脱着媒体で構成することを特徴とする請求項３に記載の空調装置。
【請求項５】
前記第２の吸脱着媒体（１２）は、前記第１の吸脱着媒体（１１）と同じものとし、両者の間に第１または第２いずれかの熱媒体を循環する第１の熱交換器（２２）を備えることを特徴とする請求項３に記載の空調装置。
【請求項６】
前記第１の空気通路（４）の、前記第１の開口部（４ａ）と前記第２の開口部（４ｂ）との間に、第２の熱交換器（２３）を設け、第２の熱媒体を循環するように構成することを特徴とする請求項３、４または５に記載の空調装置。
【請求項７】
前記第１の吸脱着媒体（１１）は、高湿での吸着能力が高い特性を備えるとともに、前記第２の吸脱着媒体（１２）は、低湿での吸着能力が高い特性を備えることを特徴とする請求項３から６のいずれかに記載の空調装置。
【発明の詳細な説明】
【０００１】
【発明の属する技術分野】
本発明は、例えば、浴室および洗面脱衣室の空調に好適な空調方法および空調装置に関するもので、特に加湿冷却効果を行う開放型吸着式冷凍機の応用に関するものである。
【０００２】
【従来の技術】
従来、浴室や洗面脱衣室には、空調装置を設置されることが少なく、冷房、暖房および浴室の乾燥などの要求に十分応ずることができなかった。この要求に応じた従来技術では、例えば、特開平１０−８５４４９号公報に記載されているように、蒸気圧縮式冷凍機を備えたヒートポンプ式空調ユニツトを洗面脱衣室の天井に搭載して、空気通路切替ドアや送風機などの組み合わせを空調の用途ごとに、空気通路を切り替えるように構成することで、浴室や洗面脱衣室の乾燥、冷房、暖房を可能としたものなどが知られている。
【０００３】
【発明が解決しようとする課題】
しかしながら、上記空調装置は、浴室を十分に乾燥させる目的と、浴室および洗面脱衣室の空調熱負荷を満足する空調能力とを要求されるため、蒸気圧縮式冷凍機を備えたヒートポンプ式空調ユニツトで構成されている。この方式の空調装置では圧縮機などの冷凍サイクル機器の動力が大きくなってしまうものである。ところで、浴室および洗面脱衣室では一般的に在室の使用頻度が低いため常時空調を運転させて快適性を確保させておくよりも、浴室を使用するときに効果を発揮できる空調装置が望ましい。
【０００４】
そこで、本発明の目的は、上記問題点を鑑み、動力の大きい蒸気圧縮式冷凍機を用いない方式の開放型吸着式冷凍機を応用した吸着材を用いて、加湿冷却効果による冷風を吹き出すように構成したことで省電力の空調を可能にした空調方法および空調装置を提供することにある。
【０００５】
【課題を解決するための手段】
上記目的を達成するため、本発明の空気調和装置は、請求項１〜７に記載の技術的手段を採用する。
【０００６】
すなわち、請求項１の発明では、空気の吸入口（９ａ）および吹出口（８ａ）が設けられた空調空間（２）と、吹出口（８ａ）から吸込口（９ａ）に至る空気通路（７）と、この空気通路（７）中に設けられ空気の温度および湿度に応じて湿気を吸着または脱着する第１の吸脱着媒体（１１）と、空気通路（７）中に第１の吸脱着媒体（１１）と前後関係に設けられ、第１または第２の熱媒体と熱交換を行う第２の吸脱着媒体（１２）と、空気通路（７）中に設けられ、吹出口（８ａ）より風を吹き出す送風手段（５ｂ）と、送風手段（５ｂ）による空気通路（７）中の空気の流れとは逆方向に、湿気を与えた空気を第１、第２の吸脱着媒体（１１、１２）を介して空調空間（２）外に流す供給手段（１、４ａ、５ａ）とを備えた空調装置の空調方法であって、供給手段（１、４ａ、５ａ）により湿度を与えた空気を供給して、第１の吸脱着媒体（１１）の吸着と、第１の熱媒体との熱交換による第２の吸脱着媒体（１２）の脱着を行う第１の空調運転工程と、この第１の空調運転工程の後に、送風手段（５ｂ）を作動させて、吸入口（９ａ）から取り入れた空調空間（２）の空気を第１、第２の吸脱着媒体（１１、１２）を介して吹出口（８ａ）に供給して、第２の熱媒体との熱交換による第２の吸脱着媒体（１２）の吸着と、第１の吸脱着媒体（１１）との脱着を行わせる第２の空調運転工程とを備えたことを特徴としている。
【０００７】
請求項１の発明によれば、空気通路（７）中に２個の吸脱着媒体（１１、１２）を設置して、いずれか一方の吸脱着媒体（１２）には第１および第２の熱媒体を供給して熱交換を行わせて、まず、第１の空調運転工程では第１の吸脱着媒体（１１）に空気中の湿気を吸着させ、低湿となった空気をさらに第１の熱媒体（例えば、高温流体）で加熱される第２の吸脱着媒体（１２）で脱着させて高温高湿の空気を空調空間（２）外に排出させておく。
【０００８】
次に、この第１の空調運転工程後に第２の空調運転工程で空調空間（２）から取り入れた空気を第２の熱媒体（例えば、低温流体）で冷却される第２の吸脱着媒体（１２）で吸着させ低湿となった空気を第１の吸脱着媒体（１１）で脱着させることにより、取り入れた空気よりも低温低湿の空気を吹き出すことができる加湿冷却効果を応用した空調方法である。これにより、従来技術の蒸気圧縮式冷凍機と比べ構成が簡単でかつ安価な機構の空調装置が提供できる。
【０００９】
また、この空調方法は、第１の空調運転で２個の吸脱着媒体（１１、１２）を十分に吸着および脱着させたのちに、第２の空調運転で、空調の効果を得るものであり、この第２の空調運転で２個の吸脱着媒体（１１、１２）が十分に吸着および脱着してしまうと終了するものである。これにより、空調の動力源は、送風手段（５ａ、５ｂ）と第１および第２の熱媒体供給機器（例えば、循環ポンプや温水加熱器など）の動力と第１および第２の空調運転時間のみとなるため、従来の蒸気圧縮式冷凍機と比べ消費動力の低減が図れる。
【００１０】
請求項２〜３の発明では、隣接する第１の空調空間（１）と、第２の空調空間（２）とを空調制御する空調ユニット（３）を備え、空調ユニット（３）は、２個の空気通路のうち第１の空調空間（１）から屋外に連通させた第１の空気通路（４）と、この第１空気通路（４）には、上流側を第１の空調空間（１）と連通または閉塞させる通路切替手段（６ａ）を備える第１の開口部（４ａ）と、下流側を屋外と連通または閉塞させる通路切替手段（６ｂ）を備える第２の開口部（４ｂ）とを形成させるとともに、第１の開口部（４ａ）を上流側に連通させ、第２の開口部（４ｂ）を下流側に連通させた第２の空気通路（７）と、この第２の空気通路（７）内には、第１の開口部（４ａ）と連通する側に第２の空調空間の吹出口（８ａ）と連通または閉塞させる通路切替手段（１０ａ）を備える第３の開口部（７ａ）と、第２の開口部（４ｂ）と連通する側に第２の空調空間の吸込口（９ａ）と連通または閉塞させる通路切替手段（１０ｂ）を備える第４の開口部（７ｂ）とを形成させ、第１の開口部（４ａ）と第２の開口部（４ｂ）との間に配設する空気の温度および湿度に応じて湿気を吸着または脱着を行う第１の吸脱着媒体（１１）と、第１または第２の熱媒体と熱交換を行う第２の吸脱着媒体（１２）とを配設するとともに、第１の空調空間（１）から第２の空気通路（７）を経由して屋外に連通させる第１の送風手段（５ａ）と、第２の空調空間の吸込口（９ａ）から第２の空調空間の吹出口（８ａ）に連通させる第２の送風手段（５ｂ）とを備えた空調装置の空調方法であって、第１の送風手段（５ａ）を作動させて、第１の空調空間（１）から第２の空気通路（７）を経由して屋外に連通する空気を供給して、第１の吸脱着媒体（１１）の吸着と、第１の熱媒体との熱交換による第２の吸脱着媒体（１２）の脱着とを行わせる第１の空調運転をさせた後、第２の送風手段（５ｂ）を作動させて、第２の空調空間の吸込口（９ａ）から第２の空気通路（７）を経由して第２の空調空間の吹出口（８ａ）に連通する空気を供給して、第２の熱媒体との熱交換による第２の吸脱着媒体（１２）の吸着と、第１の吸脱着媒体（１１）の脱着を行わせる第２の空調運転をさせることを特徴としている。
【００１１】
請求項２〜３の発明によれば、隣接する２個所の空調空間（１、２）を空調制御する空調ユニット（３）に、第１および第２の空気通路（４、７）とを設け、これらの空気通路（４、７）に通路切替手段（６ａ、６ｂ、１０ａ、１０ｂ）を備える第１から第４の開口部（４ａ、４ｂ、７ａ、７ｂ）とを形成させるとともに、２個の吸脱着媒体（１１、１２）を設置させて、いずれか一方の吸脱着媒体（１２）には第１および第２の熱媒体を供給して熱交換を行わせるよう構成させ、まず、第１の空調運転工程では、第１の空調空間（１）で発生した空気中の湿度を第１の吸脱着媒体（１１）に吸着させ、低湿となった空気をさらに第１の熱媒体（例えば、高温流体）で加熱される第２の吸脱着媒体（１２）で脱着させて高温高湿の空気を空調空間（２）外に排出させておく。
【００１２】
次に、この第１の空調運転工程後に第２の空調運転工程で第２の空調空間（２）から取り入れた空気を第２の熱媒体（例えば、低温流体）で冷却される第２の吸脱着媒体（１２）で吸着させ低湿となった空気を第１の吸脱着媒体（１１）で脱着させることにより、取り入れた空気よりも低温低湿の空気を吹き出すことができる加湿冷却効果を応用した空調方法および空調装置である。
【００１３】
これにより、第１の空調空間（１）で発生した湿度を第１の空調運転で排出させるとともに、第２の空調運転で第２の空調空間（２）を空調させる空調方法と空調装置が可能である。
【００１４】
例えば、この空調方法と空調装置を住宅の浴室（１）と洗面脱衣室（２）の空調空間に適用させると、浴室（１）での入浴時には、第１の空調運転により発生した湿気を排出できるとともに、洗面脱衣室（２）での入浴直後の着衣時には、第２の空調運転によって低温低湿の空気が吹き出され湯上がり時の蒸し暑さで不快になりがちだった洗面脱衣室（２）を一定時間空調し快適性の確保が図れる。
【００１５】
なお、２個の吸脱着媒体（１１、１２）が十分に吸着および脱着されると加湿冷却効果の作用が終了するが第２の吸脱着媒体（１２）に第２の熱媒体（例えば、冷温流体）を循環させているので冷水による空調が継続できる。
【００１６】
また、この空調方法の空調装置は、従来の蒸気圧縮式冷凍機と比べ冷凍サイクル部品の代わりに２個の吸脱着媒体（１１、１２）と、送風手段（５ａ、５ｂ）や通路切替手段（６ａ、６ｂ、１０ａ、１０ｂ）および熱媒体供給機器などの簡単な部品で空調ユニット（３）を構成できるため省動力で安価な低騒音の空調装置が提供できる。
【００１７】
請求項４の発明では、第１の吸脱着媒体（１１）は、第２の熱媒体と熱交換を行う吸脱着媒体で構成することを特徴としている。
【００１８】
請求項４の発明によれば、吸脱着媒体は吸着するときに発熱し脱着するときに吸熱する性質のものであるため、第１の吸脱着媒体（１１）に第２の熱媒体（例えば、冷温流体）と熱交換をさせて吸着するときの発熱分を熱交換器で除去させることにより、吸着量を多く吸着できるため第１の吸脱着媒体（１１）の容積を小さくすることができ小型化が図れる。
【００１９】
請求項５の発明では、第２の吸脱着媒体（１２）は、第１の吸脱着媒体（１１）と同じものとして、両者の間に第１または第２の熱媒体（例えば、高温流体または冷温流体）を循環させる第１の熱交換器（２２）を備えることを特徴としている。
【００２０】
請求項５の発明によれば、第２の吸脱着媒体（１２）を第１および第２の熱媒体と熱交換をさせず、第１の熱交換器（２２）を別体に設置して、第１の空調運転では、第１の吸脱着媒体（１１）で吸着された低湿の空気を第１の熱交換器（２２）で加熱させて、第２の吸脱着媒体（１２）で脱着されるとともに、取り入れた空気の湿度に比べ高湿度の空気を排出する。次に、第２の空調運転では、第２の空調空間（２）から取り入れた空気を第２の吸脱着媒体（１２）で脱着させ、低湿の空気を第１の熱交換器（２２）で冷却させて、第１の吸脱着媒体（１１）で脱着させて、取り入れた空気より低温低湿の空気を吹き出すものである。しかし、この空調方法は、請求項１〜４とは異なり、吸脱着媒体（１１、１２）の吸着能力が小さくなるため、吸脱着媒体（１１、１２）の容積が大型となるが構造が簡単となり製造コストを低減できる効果がある。
【００２１】
請求項６の発明では、第１の空気通路（４）の、第１の開口部（４ａ）と第２の開口部（４ｂ）との間に、第２の熱交換器（２３）を設け、第２の熱媒体を循環するように構成することを特徴としている。
【００２２】
請求項６の発明によれば、第２の空調運転のときに、第２の吸脱着媒体（１２）が吸着するときの発熱分を第１の空気通路（４）で放熱させることにより、第２の吸脱着媒体（１２）の吸着特性を向上させることで第２の吸脱着媒体（１２）の容積を請求項１〜４の技術手段より小型化にできる。
【００２３】
請求項７の発明では、第１の吸脱着媒体（１１）は、高湿での吸着能力が高い特性を備えるとともに、第２の吸脱着媒体（１２）は、低湿での吸着能力が高い特性を備えることを特徴としている。
【００２４】
請求項７の発明によれば、第１の空調運転のときに、取り入れる空気の湿度（例えば、高湿）と、第２の空調運転のときに、取り入れる空気の湿度（例えば、低湿）が異なるため、第２の吸脱着媒体（１２）は、低湿での吸着能力が高い特性のものを用い、第１の吸脱着媒体（１１）は、高湿での吸着能力が高い特性のものと組み合わせることにより、性能の向上もしくは空調ユニット（３）の小型化が図れる。
【００２５】
なお、上記各手段の括弧内の符号は、後述する実施形態記載の具体的手段との対応関係を示すものである。
【００２６】
【発明の実施の形態】
（第１実施形態）
以下、本発明の第１実施形態を図１〜図４に基づいて説明する。図１は本発明に係る空調方法および空調装置を浴室および洗面脱衣室に適用した実施形態である。まず、空調装置の通風系の全体構成について図１に基づいて説明する。１は浴室、２は隣接する洗面脱衣室でこれらの間仕切部（出入りするドアも含む）には開口部２ａを設けて連通している。浴室１および洗面脱衣室２の天井側に設置される空調ユニット３内には、２個の空気通路を形成している。
【００２７】
このうちのひとつは、上流側を浴室１と連通させ下流側を屋外に連通する換気用空気通路４であり、下流側に設けた第１の送風機５ａで浴室１を換気するものである。この換気用空気通路４には、空気通路を切替えるための制御ドア（６ａ、６ｂ）を備えた第１の開口部４ａと第２の開口部４ｂとを設けてある。ここで第１の制御ドア６ａは、第１開口部４ａを全開にすると浴室１と屋外が閉塞されるものである。
【００２８】
次に、もう一つの空気通路は、上流側を第１の開口部４ａと下流側を第２の開口部４ｂに連通した送風ダクト７である。この送風ダクト７内には、第１の開口部４ａと連通する側に洗面脱衣室の吹出口８ａと連通する第３の開口部７ａと、第２の開口部４ｂと連通する側に洗面脱衣室の吸込口９ａと連通する第４の開口部７ｂとを設けている。
【００２９】
また、第３の開口部７ａには、この第３の開口部７ａを開閉制御する第３の制御ドア１０ａと、第４の開口部７ｂには、この第４の開口部７ｂを開閉制御する第４の制御ドア１０ｂとを設けてある。なお、洗面脱衣室の吹出口８ａと第３の開口部７ａとの間には、第２の送風機５ｂを設け空調風を洗面脱衣室の吹出口８ａより吹き出すものである。
【００３０】
次に、送風ダクト７には、第１開口部４ａの下流側に空気の温度および湿度に応じて湿気を吸着または脱着をさせ、吸着するときには発熱する一方、脱着するときには吸熱する性質を有する第１の吸脱着媒体１１と、第２の吸脱着媒体１２とが前後関係に設けられている。また、この第２の吸脱着媒体１２には、熱交換器１３内を流れる熱媒体と熱交換容易となっており、この熱媒体には高温流体（例えば、浴槽への給湯用の差し湯など）または低温流体（例えば、水道水など）を循環ポンプ１４で循環させ、高温、低温、遮断の切り替え可能な三方弁１５、１６を設けている。なお、これらの吸脱着媒体１１、１２の材質は、吸着性のよいシリカゲル、ゼオライト、アルミナなどの吸着剤を用いている。
【００３１】
次に、上記構成において、本実施形態の運転モードを説明する。図２の運転モード表に示すように、５種類の運転モードを備え、図示しない空調操作パネル（例えば、洗面脱衣室２に設置された）で運転モードを選択操作させることにより、操作信号が入力される制御装置（図示しない）を介して各種電気装置を動作させるものである。この各種電気装置は、第１、第２の送風機５ａ、５ｂ、各制御ドア６ａ、６ｂ、１０ａ、１０ｂ、三方弁１５、１６および循環ポンプ１４が相当し、上述した制御装置に電気接続されており、各運転モードの選択操作に連動して各種電気装置の動作モードが選択されるように構成されている。
【００３２】
第１の空調運転モードは、第１の開口部４ａおよび第２の開口部４ｂを第１の制御ドア６ａおよび第２の制御ドア６ｂで全開（図１のａで示す位置）にさせ、第３の開口部７ａおよび第４の開口部７ｂを第３の制御ドア１０ａおよび第４の制御ドア１０ｂで全閉（図１のｂで示す位置）にさせて、第１の送風機５ａを運転させることにより、入浴時に浴室１内で発生した湿度を取り入れ送風ダクト７を経由して屋外に換気するとともに、送風ダクト７内の第１、第２の吸脱着媒体１１、１２に、空気中の湿度を吸着および脱着（後述する）させる冷房予備運転である。なお、この第１の空調運転モードでは、三方弁１５、１６の開度を高温側に切り替え、高温流体を熱交換器１３に循環ポンプ１４で循環させる。
【００３３】
第２の空調運転モードは、第１の開口部４ａおよび第２の開口部４ｂを第１の制御ドア６ａおよび第２の制御ドア６ｂで全閉（図１のｂで示す位置）にさせ、第３の開口部７ａおよび第４の開口部７ｂを第３の制御ドア１０ａおよび第４の制御ドア１０ｂで全開（図１のａで示す位置）にさせて、第２の送風機５ｂを運転させることにより、洗面脱衣室の吸込口９ａから取り入れた空気を送風ダクト７内の第２、第１の吸脱着媒体１２、１１に、空気中の湿度を吸着および脱着（後述する）させて、洗面脱衣室の吹出口８ａから冷風が吹き出される冷房運転である。なお、この第２の空調運転モードでは、三方弁１５、１６の開度を低温側に切り替え、低温流体を熱交換器１３に循環ポンプ１４で循環させる。
【００３４】
次に、第３の空調運転モードは、第１の開口部４ａを第１の制御ドア６ａで全開（図１のａで示す位置）とさせ、第２の開口部４ｂを第２の制御ドア６ｂで全閉（図１のｂで示す位置）とさせ、第３の開口部７ａおよび第４の開口部７ｂを第３の制御ドア１０ａおよび第４の制御ドア１０ｂで全開（図１のａで示す位置）にさせて、三方弁１５、１６の開度を高温側に切り替え、高温流体を熱交換器１３に循環ポンプ１４で循環させるとともに、第２の送風機５ｂを運転させることにより、洗面脱衣室の吸込口９ａから取り入れた空気を送風ダクト７内の高温流体との熱交換を行う第２の吸脱着媒体１２を経由させて洗面脱衣室の吹出口８ａから温風が吹き出されるとともに、この温風を浴室１と洗面脱衣室２の間仕切り部に設けた開口部２ａから取り入れ浴室１内も空調させる暖房運転である。
【００３５】
さらに、第４の空調運転モードは、第１の開口部４ａおよび第２の開口部４ｂを第１の制御ドア６ａおよび第２の制御ドア６ｂで全閉（図１のｂで示す位置）にさせ、第３の開口部７ａおよび第４の開口部７ｂを第３の制御ドア１０ａおよび第４の制御ドア１０ｂで全開（図１のａで示す位置）にさせて、三方弁１５、１６の開度を高温側に切り替え、高温流体を熱交換器１３に循環ポンプ１４で循環させるとともに、第１と第２の送風機５ａ、５ｂを運転させることにより、洗面脱衣室の吸込口９ａから取り入れた空気を送風ダクト７内の高温流体との熱交換を行う第２の吸脱着媒体１２を経由させて洗面脱衣室の吹出口８ａから温風が吹き出されるとともに、この温風を浴室１と洗面脱衣室２の間仕切り部に設けた開口部２ａから取り入れ浴室１内を乾燥させる乾燥運転である。
【００３６】
次に、換気運転モードは、第１の開口部４ａおよび第２の開口部４ｂを第１の制御ドア６ａおよび第２の制御ドア６ｂで全閉（図１のｂで示す位置）にさせ、第１の送風機５ａを運転させることにより、浴室１を換気する運転モードである。なお、上記第２の空調運転モードで運転中のときには、この換気運転モードを操作すると洗面脱衣室２を空調させるとともに、浴室の換気ができるよう設定され、他の運転モードで運転中のときには、換気運転を優先するように設定されている。
【００３７】
次に、上記構成の作用について述べる。まず、浴室１の入浴時には、上述の運転モードのうち第１の空調運転を選択操作させることで、第２の吸脱着媒体１２の熱交換器１３には高温流体を循環させるとともに、浴室１内で発生した湿気が送風ダクト７内の第１の吸脱着媒体１１に導入されその湿気が吸着され、低湿となった空気がさらに高温の熱媒体で加熱される第２の吸脱着媒体１２を通過することにより吸着された湿気が脱着され、その結果高湿となった空気が屋外に排出するものである。
【００３８】
以上の作動を図３に示す湿り空気線図で説明する。浴室１が入浴時において、図３のＡに示す状態の空気が第１の吸脱着媒体１１に導入され、吸脱着媒体の吸着作用によって状態Ｂの空気となる。この間の状態変化は、湿り空気線図における等エンタルピー変化である。次に、状態Ｂの空気は第２の吸脱着媒体１２に導かれ、吸脱着媒体の脱着作用によって状態Ｃの空気になる。この間の状態変化は、第２の吸脱着媒体１２が熱媒体によって加熱されているため等エンタルピー変化とはならず、与えた熱の分、温度、湿度ともに高い空気（状態Ｃ）となって屋外に排出される。
【００３９】
従って、入浴時には浴室空気の湿度（Ｘａ）に比べ高い湿度（Ｘｃ）で排出されるとともに、第１の吸脱着媒体１１は浴室１の空気中の湿気を吸着し、第２の吸脱着媒体１２は脱着する工程を完了するものである。
【００４０】
次に、入浴を終え洗面脱衣室２で着衣する際に冷房を欲する場合には、第２の空調運転を選択操作させることで、第２の吸脱着媒体１２の熱交換器１３には低温流体を循環させるとともに、洗面脱衣室の吸込口９ａから取り入れた空気が、低温の熱媒体で冷却される第２の吸脱着媒体１２に導入されその吸着作用によって除湿され、低湿となった空気が第１の吸脱着媒体１１を通過することで、逆に吸着していた湿気を脱着することで吸熱によって温度低下を起こし、洗面脱衣室の吸込口９ａから取り入れた空気よりも低温低湿の冷風を洗面脱衣室の吹出口８ａから吹き出され洗面脱衣室２を冷房するものである。
【００４１】
以上の状態変化を図４に示す湿り空気線図で説明すると、洗面脱衣室の吸込口９ａより取り入れた空気は、図４のＤに示す状態の空気が第２の吸脱着媒体１２に導入され、吸脱着媒体の吸着作用によって状態Ｅの空気となる。この間の状態変化は、第２の吸脱着媒体１２が熱媒体によって冷却されているため等エンタルピー変化とはならず、奪った熱の分だけ低温低湿となる。
【００４２】
次に、状態Ｅの空気は第１の吸脱着媒体１１に導かれ、吸脱着媒体の脱着作用によって状態Ｆの空気となる。この間の状態変化は、湿り空気線図における等エンタルピー変化である。また、第１の吸脱着媒体１１は図３において浴室の相対湿度Φａで平衡状態に達しているので図４において第１の吸脱着媒体１１から排出される空気Ｆの相対湿度Φｆは概略Φａと等しくなる。そして、この状態の空気が洗面脱衣室の吹出口８ａより吹き出され冷房効果をもたらすものである。
【００４３】
なお、この冷房は第２の吸脱着媒体１２が十分湿気を吸着し、かつ第１の吸脱着媒体１１が十分湿気を脱着した時点で終了し、再び次の入浴者が入浴する間に上述した第１の空調運転モードを運転させたのち、第２の空調運転を繰り返すことによって湯上がり時の冷房運転が可能である。
【００４４】
また、２個の吸脱着媒体１１、１２が十分に吸着および脱着されると加湿冷却効果の作用が終了するが第２の吸脱着媒体１２に第２の熱媒体（例えば、冷水）を循環させているので冷水による空調が継続できる。
【００４５】
次に、上述の運転モードのうち第３の空調運転を選択操作させることで、第２の吸脱着媒体１２の熱交換器１３には高温流体を循環させるとともに、洗面脱衣室の吸込口９ａから取り入れた空気が送風ダクト７内の高温の熱媒体で加熱される第２の吸脱着媒体１２に導入され、温風となり洗面脱衣室の吹出口８ａから吹き出され洗面脱衣室２を暖房するとともに、間仕切り部の開口部２ａを通して浴室１内も暖房するものである。なお、以上の作用においては、第１の吸脱着媒体１１および第２の吸脱着媒体１２は吸着、脱着作用はなく空気はこれらを通過するのみである。
【００４６】
さらに、第４の空調運転を選択操作させることで、第２の吸脱着媒体１２の熱交換器１３には高温流体を循環させるとともに、洗面脱衣室の吹出口８ａから吹き出される温風を開口部２ａより取り入れられ浴室１内の乾燥も可能である。
【００４７】
以上の本実施形態の空調ユニット３の空調方法および空調装置は、吸脱着媒体を２個用いて第２の吸脱着媒体１２に高温または低温の熱媒体と熱交換を行う吸脱着媒体を組み合わせ、入浴時に第１の空調運転を作動させ、吸着および脱着作用をさせておいた後、入浴後に第２の空調運転を作動させることにより、取り入れた空気よりも低温低湿の空気を吹き出すことができる加湿冷却効果を応用した空調方法である。これにより、第１の空調運転により浴室１で発生した湿気を排出できるとともに、洗面脱衣室２での入浴直後の着衣時には、第２の空調運転によって低温低湿の空気が吹き出され湯上がり時の蒸し暑さで不快になりがちだった洗面脱衣室２を一定時間空調し快適性の確保が図れるとともに、従来技術の蒸気圧縮式冷凍機と比べ構成が簡単でかつ安価な機構の空調装置が提供できる。
【００４８】
また、この空調方法は、第１の空調運転で２個の吸脱着媒体を十分に吸着および脱着させたのちに、第２の空調運転で、空調の効果を得るものであり、この第２の空調運転で２個の吸脱着媒体が十分に吸着および脱着してしまうと終了するものである。これにより、空調の動力源は、送風手段５ａ、５ｂと第１および第２の熱媒体供給機器（例えば、循環ポンプや温水加熱器など）の動力と第１および第２の空調運転時間のみとなるため、従来の蒸気圧縮式冷凍機と比べ消費動力の低減が図れる。
【００４９】
また、従来の蒸気圧縮式冷凍機と比べ冷凍サイクル部品の代わりに２個の吸脱着媒体１１、１２と、送風手段や通路切替手段および熱媒体供給機器などの簡単な部品で空調ユニット３を構成できるため狭い天井空間への収納性が良好でかつ小型化が図れるとともに、省動力で安価な低騒音の空調装置が提供できる。
【００５０】
また、洗面脱衣室２の冷房運転以外にも洗面脱衣室２の暖房や浴室１の暖房および乾燥、換気などの機能が運転モードの切替えで簡単に操作できる。
【００５１】
（第２実施形態）
以上の第１実施形態では、第１の吸脱着媒体１１には吸脱着媒体のみとし、第２の吸脱着媒体１２には高温流体または低温流体の熱媒体と熱交換を行う吸脱着媒体を用いた空調ユニット３を説明したが、これに限らず、以下の実施形態も加湿冷却効果を満足するものであるので説明する。
【００５２】
図５に示す第２実施形態は、第１の吸脱着媒体１１の代わりに、低温流体の熱媒体（例えば、水道水）とのみ熱交換を行う第３の吸脱着媒体１７に置き換え、熱交換器１８と循環ポンプ１９と仕切弁２０、２１を設け、上記第１実施形態の第２の吸脱着媒体１２とを組み合せて、入浴時には、運転モードのうち第１の空調運転モード選択操作させるとともに、第３の吸脱着媒体１７の熱交換器１８に冷水を循環させることを追加することにより、第３の吸脱着媒体１７の吸着時に発生する発熱分を、低温流体が奪うことで上記第１実施形態よりも吸着量を多く吸着できるので第３の吸脱着媒体１７の容積を小さくすることができ小型化が図れる。
【００５３】
なお、仕切弁２０、２１は、この第１の空調運転モードの時のみ熱交換器１８に冷水を循環させるように作動する。
【００５４】
（第３実施形態）
次に、図６示す第３実施形態は、上記第１実施形態の第１の吸脱着媒体１１を２個設け、これら両者の中間に第１の熱交換器２２を設置し、この第１の熱交換器２２に高温流体または低温流体の熱媒体を循環させたものである。この運転モードは上記第１実施形態と全く同じである。
【００５５】
ところが、湿り空気線図上の空気の状態変化が第１実施形態とは異なるので図７、８で示す。まず、入浴時の浴室１からの空気は図７のＡに示す状態の空気が第１の吸脱着媒体１１に導入され、吸着作用によって状態Ｂの空気となる。この間の状態変化は、湿り空気線図における等エンタルピー変化である。
【００５６】
次に、状態Ｂの空気は第１の熱交換器２２によって加熱され状態Ｂｂの空気となる。この空気が次の第１の吸脱着媒体１１に導かれ脱着作用で状態Ｃの空気となる。この間の状態変化は、湿り空気線図における等エンタルピー変化である。そして、この状態Ｃの空気は、第１実施形態と同じように屋外に排出される。
【００５７】
以上により入浴時には、浴室空気の湿度（Ｘａ）に比べ高い湿度（Ｘｃ）で排出されるとともに、第１の吸脱着媒体１１は空気中の湿気を吸着し下流の第１の吸脱着媒体１１は脱着する工程を完了するものである。
【００５８】
次に、洗面脱衣室２における冷房については、図８のＤに示す状態の空気が第１の吸脱着媒体１１に導入され、吸着作用によって状態Ｅの空気となる。この間の状態変化は、湿り空気線図における等エンタルピー変化である。
【００５９】
次に、状態Ｅの空気は第１の熱交換器２２で冷却され状態Ｅｂとなる。次に、この空気は次の第１の吸脱着媒体１１に導入され、脱着作用によって状態Ｆの空気となる。この間の状態変化は、湿り空気線図における等エンタルピー変化である。そして、この状態の空気が洗面脱衣室の吹出口８ａより吹き出され冷房効果をもたらすものである。
【００６０】
なお、この冷房は上流側（第４の開口部７ｂ側）の第１の吸脱着媒体１１が十分湿気を吸着し、かつ下流側（第３の開口部７ａ側）の第１の吸脱着媒体１１が十分湿気を脱着した時点で終了し、再び次の入浴者が入浴する間に上述した第１の空調運転モードを運転させたのち、第２の空調運転を繰り返すことで湯上がり時の冷房運転が可能であることは第１の実施形態と同じである。
【００６１】
以上の第３実施形態によれば、上記第１および第２実施形態と異なり吸脱着媒体を直接熱交換器と熱交換をさせず、第１の熱交換器２２を別体で設置し、加熱または冷却された空気と吸脱着媒体と熱交換する方式としたため、吸着量は第１および第２実施形態よりも吸着能力が小さくなるため、吸脱着媒体１１の容積が大型となるが構造が簡単となり製造コストを低減できる効果がある。
【００６２】
（第４実施形態）
次に、図９に示す第４実施形態は、熱交換器１３の下流側に第２の熱交換器２３を第１の空気通路４内に設置し、第２の熱交換器２３に高温流体または低温流体の熱媒体を循環させたものである。この構成によれば、まず、浴室１の入浴時には、第１の空調運転モードで運転させて、第２の吸脱着媒体１２と熱交換を行う熱媒体を三方弁１５、１６で高温流体に切り替え温水を循環させるとともに、浴室１内で発生した湿気が第１の吸脱着媒体１１に導入されその湿気が吸着され、低湿となった空気がさらに高温の熱媒体で加熱される第２の吸脱着媒体１２を通過することにより吸着された湿気が脱着され、その結果高湿となった空気が屋外に排出するものである。
【００６３】
ここで、第２の熱交換器２３は第１の空気通路４内の閉塞空間に閉じ込められているので何ら熱交換作用をしないため、第１実施形態と同じとなる。
【００６４】
次に、洗面脱衣室２における冷房については、第２の空調運転モードで運転させて、第２の吸脱着媒体１２と熱交換をなす熱媒体を三方弁１５、１６で低温流体に切り替え冷水を循環させるとともに、さらに、換気運転モードを操作することにより、洗面脱衣室の吸込口９ａから取り入れた空気が送風ダクト７内の低温の熱媒体で冷却される第２の吸脱着媒体１２に導入されその吸着作用によって低湿となる。
【００６５】
この際、吸着作用による発熱分は、熱媒体によって第２の熱交換器２３に運ばれ第１の空気通路４を流れる空気によって放熱されるので、第２の吸脱着媒体１２の吸着量が増加し第１および第２実施形態よりも低湿の空気となり、第１の吸脱着媒体１１で脱着され吸熱によって温度低下を起こし、洗面脱衣室の吸込口９ａの空気よりも低温低湿の空気を洗面脱衣室の吹出口８ａから吹き出され洗面脱衣室２を冷房するものである。
【００６６】
以上の第４実施形態によれば、第１の空気通路４に第２の熱交換器２３を設置し、第２の吸脱着媒体１２で吸着する際の発熱分を放熱させることで吸着量を増加させることができるため、第２の吸脱着媒体１２の容積を第１および第２実施形態よりも小型化にできる。
【００６７】
なお、第１〜第３実施形態では、低温の熱媒体として水道水を用いていたがこの第４実施形態では、温度としては水道水ほど低温にならないが浴室１からの換気風相当の温度を低温熱源として代用できるため低温側の熱媒体の配管系統を不要にでき簡素化が図れる効果もある。
【００６８】
（第５実施形態）
以上の実施形態では、吸脱着媒体の吸着特性を同じ物を２個設け、吸着および脱着による加湿冷却効果による洗面脱衣室２の冷房について説明したが、図１０に示す第５実施形態は、第１の吸脱着媒体１１は比較的高湿における吸着能力が高い特性を有するものとし、第２の吸脱着媒体１２は比較的低湿における吸着能力が高い特性を有するものとを組み合せたものである。
【００６９】
第１の吸脱着媒体１１の吸着時においては、図３に示す相対湿度Φａの空気と接触し脱着時には図４に示す相対湿度Φｅと接触するので図１０に示すように、第１の吸脱着媒体１１の吸着、脱着の繰り返しによる吸着量はＣａ−Ｃｅとなり十分な量となるが、この第１の吸脱着媒体１１と同じ物を第２の吸脱着媒体１２に適用すると図３および図４に示すように相対湿度の作動範囲がΦｂとΦｄとの間となるため、吸着量がわずかとなってしまう。そこで、第２の吸脱着媒体１２としては低湿の作動域で吸着能力の高い特性のものを用いれば図１０に示すような吸着量（Ｃｄ−Ｃｂ）の増加できるものである。
【００７０】
以上の実施形態では、吸脱着媒体の吸着特性の異なるものを組み合せることにより、性能の向上もしくは空調ユニット３の小型化が図れる。
【００７１】
（他の実施形態）
以上の実施形態では、第２の空調運転の操作を空調操作バネルを手動操作で選択させるようにしたが、洗面脱衣室の間仕切り部に人の出入りを検出するセンサを設けて、入浴時に第１の空調運転の操作をさせて、入浴後にこのセンサが人の出入りを検出して自動的に制御装置が第２の空調運転を行うように構成することも可能である。
【図面の簡単な説明】
【図１】本発明の第１実施形態を示す空調装置の全体の概略構成図である。
【図２】本発明の実施形態における空調装置の運転モードと電気装置の作動を示す表である。
【図３】第１実施形態の第１の空調運転モードにおける加湿冷却効果の空気の状態変化を示す湿り空気線図である。
【図４】第１実施形態の第２の空調運転モードにおける加湿冷却効果の空気の状態変化を示す湿り空気線図である。
【図５】第２実施形態を示す空調装置の全体の概略構成図である。
【図６】第３実施形態を示す空調装置の全体の概略構成図である。
【図７】第３実施形態の第１の空調運転モードにおける加湿冷却効果の空気の状態変化を示す湿り空気線図である。
【図８】第３実施形態の第２の空調運転モードにおける加湿冷却効果の空気の状態変化を示す湿り空気線図である。
【図９】第４実施形態を示す空調装置の全体の概略構成図である。
【図１０】第５実施形態における吸脱着媒体の吸着特性を示す特性図である。
【符号の説明】
１…浴室（第１の空調空間、供給手段）
２…洗面脱衣室（空調空間、第２の空調空間）
３…空調ユニット
４…換気用空気通路（第１の空気通路）
４ａ…第１の開口部（供給手段）
４ｂ…第２の開口部
５ａ…第１の送風機（供給手段、第１の送風手段）
５ｂ…第２の送風機（送風手段、第２の送風手段）
６ａ…第１の制御ドア（通路切替手段）
６ｂ…第２の制御ドア（通路切替手段）
７…送風ダクト（空気通路、第２の空気通路）
７ａ…第３の開口部
７ｂ…第４の開口部
８ａ…洗面脱衣室の吹出口（第２空調空間の吹出口）
９ａ…洗面脱衣室の吸込口（第２空調空間の吸込口）
１０ａ…第３の制御ドア（通路切替手段）
１０ｂ…第４の制御ドア（通路切替手段）
１１…第１の吸脱着媒体
１２…第２の吸脱着媒体
１３…熱交換器
１５、１６…三方弁
【図１】
0004120118.tif 000002
【図２】
0004120118.tif 000003
【図３】
0004120118.tif 000004
【図４】
0004120118.tif 000005
【図５】
0004120118.tif 000006
【図６】
0004120118.tif 000007
【図７】
0004120118.tif 000008
【図８】
0004120118.tif 000009
【図９】
0004120118.tif 000010
【図１０】
0004120118.tif 000011